(57)【要約】【解決課題】  ユーザに対してユーザ自身の出力指示により出力された文書データ及びプリントされた記録用紙への注意を促し、セキュリティを高める。【解決手段】  操作入力検出部４６は、画像データ及び文字データの少なくとも一方を含んで構成された文書データに対してプリントを含む出力動作を指示し、音声データ変換部６４は、マイク１７より声で入力されたＩＤ番号をユーザの識別情報として取得し、ユーザ特定部８２は、取得した識別情報に基づいてユーザを特定するユーザ特定情報を生成し、情付加部８８は、生成された前記ユーザ特定情報を前記文書データに付加している。【選択図】図３
2006181874.tif 000002
【特許請求の範囲】
【請求項１】
画像データ及び文字データの少なくとも一方を含んで構成された文書データによる、記録用紙へのプリント動作を含む出力動作の指示を入力する指示入力手段と、
前記出力動作の指示を入力するユーザを識別するための識別情報を取得する取得手段と、
前記取得手段により取得された前記識別情報に基づいて前記ユーザを特定するユーザ特定情報を生成する特定情報生成手段と、
前記特定情報生成手段により生成された前記ユーザ特定情報を前記文書データに付加する付加手段と、
を備えた画像形成装置。
【請求項２】
前記文書データにより示される文書画像と当該文書データに付加された前記ユーザ特定情報により示される画像とを合成した合成画像を生成する合成画像生成手段と、
前記指示入力によって前記プリント動作の指示が入力されたときに、前記合成画像生成手段により生成された前記合成画像を記録用紙へプリントするプリント手段と、
をさらに備えた請求項１記載の画像形成装置。
【請求項３】
前記付加手段は、前記指示入力手段により前記出力動作の指示として、当該出力の条件を示す条件情報も入力された場合に、当該条件情報を前記文書データにさらに付加し、
前記プリント手段は、前記文書データに付加された前記出力指示情報により示される指示内容に応じてプリントを行う
請求項２記載の画像形成装置。
【請求項４】
前記取得手段を、前記ユーザの声により入力されたＩＤ情報を示す音声データを取得するものとし、
前記取得手段により取得された前記音声データに対する音声認識を行って、前記ＩＤ情報を文字データに変換する変換手段と、
予め定められたユーザの名前及びＩＤ情報を含むユーザ情報データが予め記憶された記憶手段と、
をさらに備え、
前記特定情報生成手段は、前記変換手段により文字データに変換されたＩＤ情報と前記ユーザ情報データに含まれるＩＤ情報とを照合して前記出力動作の指示を入力するユーザを特定し、特定したユーザの名前及びＩＤ情報の少なくとも一方を含むものとして前記ユーザ特定情報を生成する
請求項１乃至請求項３記載の何れか１項記載の画像形成装置。
【請求項５】
前記取得手段を前記ユーザの顔の特徴を示す顔特徴データ及び前記ユーザの指紋の特徴を示す指紋特徴データを更に取得するものとし、
前記ユーザ情報データは、前記予め定められたユーザの顔特徴データと指紋特徴データとをさらに含み、
前記特定情報生成手段は、前記取得手段により取得された顔特徴データ及び指紋特徴データと、前記ユーザ情報データに含まれる、前記変換手段により文字データに変換されたＩＤ情報に対応する顔特徴データ及び指紋特徴データと、を照合して前記ユーザの特定を行う
請求項４記載の画像形成装置。
【請求項６】
前記ユーザ情報データは、前記予め定められたユーザ毎に前記記録用紙へのプリントをカラーで行うか、当該プリントを白黒で行うか、当該プリントを不許可とするかを示すプリント動作情報をさらに含み、
プリントの操作指示を入力するための操作画面を表示する表示手段と、
前記特定情報生成手段により特定された前記ユーザに対応する前記プリント動作情報に基づいて前記表示手段に表示する前記操作画面の表示内容を設定する表示設定手段と、
をさらに備えた請求項４又は請求項５記載の画像形成装置。
【請求項７】
前記ユーザ情報データは、前記予め定められてたユーザ毎に表示される文字を拡大するか否かを示す文字表示情報をさらに含み、
所定の操作画面を表示する表示手段と、
前記特定情報生成手段により特定された前記ユーザに対応する前記文字表示情報に基づいて前記表示手段に表示する前記操作画面の文字の大きさを設定する表示設定手段と、
をさらに備えた請求項４又は請求項５記載の画像形成装置。
【請求項８】
ユーザからの記録用紙へのプリント動作を含む出力動作の指示により画像データ及び文字データの少なくとも一方を含んで構成された文書データにより示される画像に対する画像処理方法であって、
前記出力動作の指示を入力する前記ユーザを識別するための識別情報を取得し、
取得した前記識別情報に基づいて前記ユーザを特定するユーザ特定情報を生成し、
生成された前記ユーザ特定情報を前記文書データに付加する
画像処理方法。
【発明の詳細な説明】
【技術分野】
【０００１】
この発明は、画像データ及び文字データの少なくとも一方を含んで構成された文書データによるプリント動作を含む出力動作を行う画像形成装置及び画像処理方法に関するものである。
【背景技術】
【０００２】
従来から複写機能、プリンタ機能等の複数の機能を備えた画像形成装置（所謂、デジタル複合機）が知られている。この種の画像形成装置は、一般に装置本体に備えられたスキャナにより原稿画像を読み取って取得した画像データにより示される画像、あるいは、ネットワーク等を介して接続された外部装置からプリントを依頼されたプリントデータにより示される画像を記録用紙にプリントするものとされている。また、この種の画像形成装置には、スキャナから読み取った画像を、例えば、ＰＤＦ（Portable Document Format）ファイル形式等の所定形式の電子化ファイルに変換するファイル変換機能を備えたものがあり、変換した電子化ファイルをネットワークを介して外部装置へ出力することができるものもある。
【０００３】
ところで、画像形成装置は、スキャナから機密文書を読み取って記録用紙へプリントしたり、電子化ファイルに変換してネットワーク等を介して外部装置へ出力したりする場合がある。従って、画像形成装置には、当該機密文書の部外者への流失を防止するためにセキュリティを高めることが求められている。
【０００４】
この画像形成装置のセキュリティを高めるための技術として、特許文献１には、ネットワークに接続されたスキャナとプリンタにそれぞれ指紋読取装置を備え、スキャナから原稿画像を読み込む際に指紋読取装置でユーザの指紋を読み込み、読み込んだ指紋パターンデータを原稿画像の画像データのヘッダに付加し、当該画像データをプリントする際に、プリンタの指紋読取装置で読み取ったユーザの指紋パターンと画像データのヘッダに付加された指紋パターンデータにより示される指紋パターンとが一致した場合に、プリントを許可する技術が開示されている。この技術により、スキャナから機密文書を読み取らせた画像データを異なるユーザによってプリントされることを防ぐことができる。
【特許文献１】特開２００２−２８１２７７公報
【発明の開示】
【発明が解決しようとする課題】
【０００５】
しかしながら、上記特許文献１の技術は、スキャナによって読み取られた画像データを同一の人物のみによりプリント可能とする技術であるため、当該特許文献１の技術を用いても、機密文書の部外者への流出を防止することは困難であった。
【０００６】
すなわち、例えば、複数のユーザによってそれぞれ機密文書がプリントされて部外者へ流出したり、機密文書が電子化ファイルに変換されて部外者へ流出する場合が依然としてあった。
【０００７】
本発明は上記事実に鑑みてなされたものであり、文書の不用意な外部への流出を防止することができる、画像形成装置及び画像処理方法を提供することを目的とする。
【課題を解決するための手段】
【０００８】
上記目的を達成するため、請求項１に記載の発明は、画像データ及び文字データの少なくとも一方を含んで構成された文書データによる、記録用紙へのプリント動作を含む出力動作の指示を入力する指示入力手段と、前記出力動作の指示を入力するユーザを識別するための識別情報を取得する取得手段と、前記取得手段により取得された前記識別情報に基づいて前記ユーザを特定するユーザ特定情報を生成する特定情報生成手段と、前記特定情報生成手段により生成された前記ユーザ特定情報を前記文書データに付加する付加手段と、を備えている。
【０００９】
請求項１に記載の発明は、指示入力手段によって画像データ及び文字データの少なくとも一方を含んで構成された文書データに対してプリントを含む出力動作が指示されるものとして構成されている。ここで、本発明では、取得手段によって出力動作の指示を入力するユーザを識別するための識別情報が取得され、特定情報生成手段によって前記取得手段により取得された前記識別情報に基づいて前記ユーザを特定するユーザ特定情報が生成され、付加手段によって前記特定情報生成手段により生成された前記ユーザ特定情報が前記文書データに付加される。
【００１０】
このように請求項１記載の発明によれば、文書データの出力動作の指示を入力するユーザの識別情報を取得し、取得した識別情報に基づいてユーザを特定するユーザ特定情報を生成し、生成したユーザ特定情報を前記文書データに付加しているので、付加されたユーザ特定情報に基づいて当該文書データの出力動作を指示したユーザを特定することができるため、ユーザに対してユーザ自身の出力指示により出力された文書データへの注意を促すことができ、この結果として文書の不用意な外部への流出を防止することができる。
【００１１】
なお、指示入力手段による文書データに対する出力動作の指示には、キーボード、ポインティング・デバイス等の入力装置の他、ＬＡＮ、インターネット、イントラネット等の通信回線を介した外部装置にからの通信による、記録用紙へのプリント指示、ＬＡＮ、インターネット、イントラネット等のネットワークを介した外部装置への出力指示が含まれる。
【００１２】
また、上記取得手段による識別情報の取得には、キーボード、ポインティング・デバイス等の入力装置を介した取得の他、ＬＡＮ、インターネット、イントラネット等の通信回線を介した外部装置からの通信による取得が含まれる。
【００１３】
一方、請求項１記載の発明は、請求項２記載の発明のように、前記文書データにより示される文書画像と当該文書データに付加された前記ユーザ特定情報により示される画像とを合成した合成画像を生成する合成画像生成手段と、前記指示入力によって前記プリント動作の指示が入力されたときに、前記合成画像生成手段により生成された前記合成画像を記録用紙へプリントするプリント手段と、をさらに備えたものとしてもよい。
【００１４】
特に、請求項２記載の発明は、請求項３記載の発明のように、前記付加手段は、前記指示入力手段により前記出力動作の指示として、当該出力の条件を示す条件情報も入力された場合に、当該条件情報を前記文書データにさらに付加し、前記プリント手段は、前記文書データに付加された前記出力指示情報により示される指示内容に応じてプリントを行うようにしてもよい。
【００１５】
また、本発明は、請求項４記載の発明のように、前記取得手段を、前記ユーザの声により入力されたＩＤ情報を示す音声データを取得するものとし、前記取得手段により取得された前記音声データに対する音声認識を行って、前記ＩＤ情報を文字データに変換する変換手段と、予め定められたユーザの名前及びＩＤ情報を含むユーザ情報データが予め記憶された記憶手段と、をさらに備え、前記特定情報生成手段は、前記変換手段により文字データに変換されたＩＤ情報と前記ユーザ情報データに含まれるＩＤ情報とを照合して前記出力動作の指示を入力したユーザを特定し、特定したユーザの名前及びＩＤ情報の少なくとも一方を含むものとして前記ユーザ特定情報を生成するようにしてもよい。
【００１６】
なお上記記憶手段には、ＥＰＲＯＭ（Erasable Programmable Read Only Memory）、ＥＥＰＲＯＭ（Electrically Erasable and Programmable Read Only Memory）、フラッシュメモリ等の半導体メモリ、フレキシブルディスク等の可搬記憶媒体、ハードディスク等の固定記憶装置や、ネットワークを介して接続された外部装置の記憶装置が含まれる。
【００１７】
さらに、請求項４記載の発明は、請求項５記載の発明のように、前記取得手段を前記ユーザの顔の特徴を示す顔特徴データ及び前記ユーザの指紋の特徴を示す指紋特徴データを更に取得するものとし、前記ユーザ情報データは、前記予め定められたユーザの顔特徴データと指紋特徴データとをさらに含み、前記特定情報生成手段は、前記取得手段により取得された顔特徴データ及び指紋特徴データと、前記ユーザ情報データに含まれる、前記変換手段により文字データに変換されたＩＤ情報に対応する顔特徴データ及び指紋特徴データと、を照合して前記ユーザの特定を行うようにしてもよい。
【００１８】
特に、請求項４又は請求項５記載の発明は、請求項６記載の発明のように、前記ユーザ情報データは、前記予め定められたユーザ毎に前記記録用紙へのプリントをカラーで行うか、当該プリントを白黒で行うか、当該プリントを不許可とするかを示すプリント動作情報をさらに含み、プリントの操作指示を入力するための操作画面を表示する表示手段と、
前記特定情報生成手段により特定された前記ユーザに対応する前記プリント動作情報に基づいて前記表示手段に表示する前記操作画面の表示内容を設定する表示設定手段と、をさらに備えたものとしてもよい。
【００１９】
なお、上記表示手段には、ＣＲＴディスプレイ装置、プラズマ・ディスプレイ装置、有機ＥＬディスプレイ装置、液晶ディスプレイ装置等のディスプレイ装置が含まれる。
【００２０】
また、請求項４又は請求項５記載の発明は、請求項７記載の発明のように、前記ユーザ情報データは、前記予め定められてたユーザ毎に表示される文字を拡大するか否かを示す文字表示情報をさらに含み、所定の操作画面を表示する表示手段と、前記特定情報生成手段により特定された前記ユーザに対応する前記文字表示情報に基づいて前記表示手段に表示する前記操作画面の文字の大きさを設定する表示設定手段と、をさらに備えるものとしてもよい。
【００２１】
一方、上記目的を達成するため、請求項８に記載の画像処理方法は、ユーザからの記録用紙へのプリント動作を含む出力動作の指示により画像データ及び文字データの少なくとも一方を含んで構成された文書データにより示される画像に対する画像処理方法であって、前記出力動作の指示を入力する前記ユーザを識別するための識別情報を取得し、取得した前記識別情報に基づいて前記ユーザを特定するユーザ特定情報を生成し、生成された前記ユーザ特定情報を前記文書データに付加している。
【００２２】
従って、請求項８に記載の画像処理方法は、請求項１と同様に作用するので、請求項１記載と同様に、ユーザに対してユーザ自身の出力指示により出力された文書データへの注意を促すことができ、この結果として文書の不用意な外部への流出を防止することができる。
【発明の効果】
【００２３】
以上説明したように、本発明によれば、文書データの出力動作の指示を入力するユーザの識別情報を取得し、取得した識別情報に基づいてユーザを特定するユーザ特定情報を生成し、生成したユーザ特定情報を前記文書データに付加しているので、付加されたユーザ特定情報に基づいて当該文書データの出力動作を指示したユーザを特定することができるため、ユーザに対してユーザ自身の出力指示により出力された文書データへの注意を促すことができ、この結果として文書の不用意な外部への流出を防止することができる、という優れた効果を有する。
【発明を実施するための最良の形態】
【００２４】
以下、図面を参照して、本発明の実施の形態について詳細に説明する。
【００２５】
図１には、本実施の形態に係る画像形成装置１０の概略構成が示されている。
【００２６】
同図に示すように、この画像形成装置１０は、所定の読込位置に載置された記録用紙から画像を読み込み、当該画像を示す画像データを取得するスキャナ１１と、スキャナ１１により取得した画像データや外部から取得した画像データ等の各種画像データを用いて画像形成処理を行う装置本体１２と、操作メニューやメッセージ等を表示すると共に表面に透過型のタッチパネルが一体的に設けられたタッチパネル・ディスプレイ（以下、「ディスプレイ」という。）１４と、当該画像形成装置１０を操作するユーザの顔を撮影するカメラ１６と、ユーザからの声による操作指示を電気信号に変換するマイク１７と、指紋センサを内蔵すると共に、ユーザが当該指紋センサに指を接触させることによりユーザの指の指紋パターンを読み取って当該指紋パターンを示す指紋パターンデータを出力する指紋読取部１８と、を有している。
【００２７】
なお、本実施の形態に係る画像形成装置１０では、上記タッチパネルとして感圧方式のものを採用しており、ユーザがディスプレイ１４の表示面に指先にて接触する（タッチ操作する）ことにより画像形成装置１０に対して各種の動作を指示することができる。
【００２８】
また、本実施の形態に係る画像形成装置１０では、上記指紋読取部１８に内蔵された指紋センサとして静電容量方式のものを採用しており、皮膚の表面とセンサ表面の間で生じる静電容量が、皮膚の凹凸に応じて変化することを利用して指紋パターンを検出するものとされている。なお、指紋センサとしては、このような静電容量方式のものに限らず、光学式、感熱式等の他の方式のものを用いてもよい。
【００２９】
さらに、装置本体１２の内部には、電子写真方式にて記録用紙上への画像のプリントを行う画像形成エンジン部１５（図１では図示省略。図２参照。）が備えられている。この画像形成エンジン部１５は、イエロー（Ｙ）、マゼンタ（Ｍ）、シアン（Ｃ）、ブラック（Ｋ）の４色のトナーを用いてフルカラーの画像を形成することができる。また、ブラックのトナーのみを用いて白黒の階調画像を形成することができる。
【００３０】
一方、本実施の形態に係る画像形成装置１０は、ネットワーク２０に接続されている。なお、本実施の形態では、ネットワーク２０としてインターネットを適用しているが、これに限らず、イントラネット、ＬＡＮ（Local Area Network）、エコーネット（ECHONET）、ＨｏｍｅＰＮＡ等の各種ネットワークを単独又は組み合わせて適用することもできる。
【００３１】
一方、ネットワーク２０にはパーソナル・コンピュータ、ワークステーション等の端末装置２２が接続されており、画像形成装置１０と端末装置２２とはネットワーク２０を介して互いに通信可能となっている。このネットワーク２０は、図示しない他のネットワークとも接続されており、画像形成装置１０はネットワーク２０を介して当該他のネットワークに接続された図示しないメールサーバとも互いに通信可能となっている。また、画像形成装置１０は、一般通信回線２１とも接続されており、ファクシミリ通信を行うことができる。
【００３２】
次に、図２を参照して、画像形成装置１０の電気系の要部構成を説明する。
【００３３】
画像形成装置１０は、装置全体の動作を司るＣＰＵ（中央処理装置）４０と、制御プログラムを含む各種プログラムや後述するユーザからの音声による指示を特定するための指示情報テーブル７２（図４も参照。）等が予め記憶されたＲＯＭ４２と、各種データを一時的に記憶するＲＡＭ４８と、スキャナ１１等の各機器デバイスにより取得された各種データや各種プログラム、後述するユーザ情報テーブル７０（図４も参照。）を記憶するためのＨＤＤ（ハードディスク・ドライブ）５６と、ディスプレイ１４への各種情報の表示を制御するディスプレイドライバ４４と、ディスプレイ１４のタッチ操作を検出する操作入力検出部４６と、マイク１７と接続されて当該マイク１７によって受信したアナログの音声信号をデジタル音声データに変換する音声データ変換部６４と、を備えている。
【００３４】
なお、音声データ変換部６４は、通過周波数帯域が変更可能なバンドパスフィルタ及び所定の増幅率とされた増幅器（共に図示省略。）を備えており、当該バンドパスフィルタにより予め設定された通過周波数帯域のデジタル音声データのみを抽出し、増幅器により所定の増幅率で増幅して出力するものとされている。
【００３５】
また、ＨＤＤ５６には、音声データ変換部６４から出力されたデジタル音声データを文字データへ変換する音声認識プログラムが記憶されている。この音声認識プログラムは、予め所定の文字列データ（テキストデータ）と、これに対応する音声パターンデータと、が関連付けられて登録された音声辞書を有している。なお、この音声認識プログラムとしては、公知の音声認識プログラム（例えば、日本アイ・ビー・エム社、ビア・ボイス（ViaVoice）（登録商標））をインストールして用いてもよい。
【００３６】
また、上記指示情報テーブル７２には、例えば、「カラーコピー」と‘フルカラーでの複写開始指示’、「３枚」と‘指示枚数３枚’、といったように上記音声認識プログラムによって得られる文字データに対応する文字データと当該文字データが意味する操作指示内容が対応付けられて記憶されている。
【００３７】
ＣＰＵ４０、ＲＡＭ４８、ＲＯＭ４２、ＨＤＤ５６、ディスプレイドライバ４４、操作入力検出部４６、及び音声データ変換部６４は、システムバスＢＵＳを介して相互に接続されている。従って、ＣＰＵ４０は、ＲＡＭ４８、ＲＯＭ４２、ＨＤＤ５６へのアクセスと、ディスプレイドライバ４４を介したディスプレイ１４への各種情報の表示と、を各々行うことができると共に、操作入力検出部４６に対するユーザのタッチ操作による操作指示、上述した音声認識プログラムにより音声データ変換部６４から出力されたデジタル音声データを文字データに変換し、変換した文字データから指示情報テーブル７２に登録されている文字列を検索することによるユーザからのマイク１７を介した音声による操作指示の各指示内容、を把握することができる。
【００３８】
一方、画像形成装置１０は、スキャナ１１による光学的な画像の読み取りを制御するスキャナドライバ５０と、前述した画像形成エンジン部１５を制御する画像形成エンジン制御部５４と、一般通信回線２１に接続されるコネクタ５７に接続され、コネクタ５７を介して一般通信回線２１に接続されたファクシミリ装置との間でファクシミリ電文の送受信を行うファクシミリＩ／Ｆ（インタフェース）部５８と、ネットワーク２０に接続されるコネクタ５９に接続され、コネクタ５９を介してネットワーク２０に接続された端末装置２２との間で通信データの送受信を行うネットワークＩ／Ｆ（インタフェース）部６０と、カメラ１６の撮像動作を制御してカメラ１６から撮影画像を示す画像データを取得するカメラ制御部６２と、指紋読取部１８を制御して指紋パターンデータを取得する指紋読取制御部６６と、を備えている。
【００３９】
そして、スキャナドライバ５０、画像形成エンジン制御部５４、ファクシミリＩ／Ｆ部５８、ネットワークＩ／Ｆ部６０、カメラ制御部６２、及び指紋読取制御部６６もまた、上述したシステムバスＢＵＳに接続されている。従って、ＣＰＵ４０は、スキャナドライバ５０を介したスキャナ１１の作動の制御、画像形成エンジン制御部５４を介した画像形成エンジン部１５の作動の制御、ファクシミリＩ／Ｆ部５８を介したファクシミリ電文の送受信の制御、ネットワークＩ／Ｆ部６０を介した通信データの送受信の制御、カメラ制御部６２を介したカメラ１６の撮像動作の制御、指紋読取制御部６６を介した指紋読取部１８の作動の制御、を各々行うことができる。
【００４０】
なお、本実施の形態に係る画像形成装置１０は、電子メールを送信するためのソフトウェアがＨＤＤ５６にインストールされており、当該ソフトウェアにより、ユーザによるディスプレイ１４に対する所定操作により電子メールをネットワークＩ／Ｆ部６０よりネットワーク２０を介して不図示のメールサーバへ送信することもできる。
【００４１】
さらに、画像形成装置１０はファイルサーバ機能も有しており、ネットワークＩ／Ｆ部６０を介してネットワーク２０に接続された端末装置２２に対して画像データの電子化ファイルをファイル転送することができる。
【００４２】
ところで、本実施の形態に係る画像形成装置１０は、ユーザが何れかの操作を行う際に、後述するユーザ情報テーブル７０に基づいて当該ユーザが画像形成装置１０を操作する権限があるかを認証するユーザ認証機能を有している。また、画像形成装置１０は、ユーザ情報テーブル７０にユーザ毎に設定されている内容に応じてディスプレイ１４に表示される操作画面を設定する操作画面設定機能を有している。
【００４３】
図３には、本実施の形態に係るユーザ情報テーブル７０のデータ構造の１例が模式的に示されている。図３に示されるように、このユーザ情報テーブル７０には、ユーザのＩＤ番号、氏名、顔パターン、指紋パターン、操作許可設定、画面表示設定の各情報が予め定められたユーザ毎に登録されている。なお、ＩＤ番号は、ユーザを特定するためのものであり各ユーザ毎に固有の情報が割当てられている。また、氏名は、対応するユーザの氏名を示すものであり、顔パターンは、対応するユーザに対するカメラ１６による撮像によって得られた当該ユーザの顔の特徴を示すものである。また、指紋パターンは、対応するユーザから指紋読取部１８で取得した当該ユーザの指の指紋の特徴を示すものである。また、操作許可設定は、対応するユーザのプリント操作に対する制限状態を示すものであり本実施の形態では、プリントを許可しない場合は「不許可」が、カラープリントを許可する場合は「カラー」が、白黒プリントを許可する場合は「白黒」が、各々登録される。さらに、画面表示設定は、ディスプレイ１４に表示する操作画面の文字の大きさを示すものであり、操作画面に表示する文字を大きくする場合は「拡大」が、文字を通常のままとする場合は「通常」が、各々登録される。
【００４４】
一方、本実施の形態に係る画像形成装置１０は、上述したユーザ認証機能により操作する権限があるユーザであると認証された後に、当該ユーザからの指示に応じて記録用紙へのプリントを行う際に、プリントの指示を行ったユーザを後から特定する情報として、ＩＤ番号及び氏名をプリントする画像に付加してプリントするユーザ特定情報付加機能を有している。
【００４５】
図４には、上述したユーザ認証機能、操作画面設定機能及び特定情報付加機能を実現するための画像形成装置１０の機能的な構成を示すブロック図が示されている。
【００４６】
同図に示すように、画像形成装置１０は、音声認識部８０と、顔パターン生成部８１と、ユーザ特定部８２と、操作画面制御部８４と、操作情報作成部８６と、情報付加部８８と、画像合成部９０と、操作情報解析部９２と、を備えている。
【００４７】
本実施の形態に係る音声認識部８０は、ＨＤＤ５８に記憶された音声認識プログラムを用いて音声データ変換部６４より出力されたデジタル音声データから１文節又は１単語分の音声データを順に取り出し、取り出した音声データを音声辞書に登録されている音声パターンと照合（パターンマッチング）することで音声認識を行い、ユーザにより発生された言葉に対応する文字データに変換する。
【００４８】
また、本実施の形態に係る顔パターン生成部８１は、カメラ１６による撮影によって得られ、カメラ制御部６２を介して入力された画像データにより示される画像から公知の顔領域検出技術を用いてユーザの顔領域を検出し、当該顔領域内に存在する顔の特徴（例えば、顔の輪郭位置を基準とした目、鼻、口等の位置関係を示す特徴等）を求めて、ユーザ情報テーブル７０の顔パターンと同一フォーマットとされた顔パターンデータを生成する。
【００４９】
また、本実施の形態に係るユーザ特定部８２は、ユーザ認証時に音声認識部８０より得られた文字データによって示される文字をユーザ情報テーブル７０のＩＤ番号と照合してユーザを特定する。すなわち、ユーザ認生時にユーザは、自身に予め割り振られたＩＤ番号をマイク１７に向かって発声する。また、ユーザ特定部８２は、顔パターン生成部８１により生成されたユーザの顔パターンデータにより示される顔パターン及び指紋読取部１８により取得されたユーザの指紋パターンデータにより示される指紋パターンを、特定したユーザに対応するユーザ情報データの顔パターン及び指紋パターンと照合（パターンマッチング）を行い、ユーザの認証を行う。
【００５０】
また、本実施の形態に係る操作画面制御部８４は、ユーザ特定部８２により特定されたユーザに対応するユーザ情報データの操作許可設定及び画面表示設定の各情報に従ってディスプレイドライバ４４を制御し、操作画面の表示内容を設定する。
【００５１】
一方、本実施の形態に係る操作情報作成部８６は、音声認識部８０により得られた文字データから指示情報テーブル７２に登録されている文字列を検索することによりユーザの発声による操作指示の内容を把握する。また、操作情報作成部８６は、ディスプレイ１４へのユーザのタッチ操作の状態を操作入力検出部４６を介して取得し、ユーザによる操作指示の内容を把握する。そして、操作情報作成部８６は、ユーザ特定部８２において特定されたユーザに対応するユーザ情報データの操作許可設定の内容から、把握した操作指示の内容が当該操作を指示したユーザに許可されているか否かを判断する。
【００５２】
一方、本実施の形態に係る情報付加部８８は、スキャナ１１から読み込まれた画像データに対して、ユーザ特定部８２において特定したユーザのＩＤ番号及び氏名をユーザ特定情報として付加する。また、情報付加部８８は、操作情報作成部８６において把握された操作指示内容を示す操作指示データ（出力指示情報）に上記画像データに付加する。なお、ここでいう‘付加’には、画像データの内部（例えば、ヘッダ、フッタ等）に付加すること、属性情報（タグ）を用いて付加するデータと画像データとを同一の電子化ファイルとして記憶させること、画像データに関連付けて当該画像データとは異なる電子化ファイルとして記憶させること等が含まれる。また、上記操作指示データは、装置を制御する制御コードであってもよく、スクリプト言語として記述されていてもよい。
【００５３】
また、本実施の形態に係る画像合成部９０は、画像データにより示される画像の所定領域に、当該画像データにユーザ特定情報として付加されたＩＤ番号及び氏名を示す画像を合成した合成画像を生成する。
【００５４】
また、本実施の形態に係る操作情報解析部９２は、画像データに付加された操作指示データにより示される指示内容に基づいて画像形成エンジン制御部５４を制御する。
【００５５】
ところで、本実施の形態に係る画像形成装置１０は、ユーザ認証機能及び操作画面設定機能を認証／画面設定処理プログラムにて、特定情報付加機能を特定情報付加／プリント処理プログラムにて、各々ソフトウェアにより実現している。
【００５６】
次に、ユーザ認証機能、操作画面設定機能及び特定情報付加機能を実行時する際の画像形成装置１０の作用を説明する。
【００５７】
まず、図５を参照して、本実施の形態の係るユーザ認証機能、操作画面設定機能を実行する際の画像形成装置１０の作用を説明する。なお、図５は、このときＣＰＵ４０によって実行される認証／画面設定処理プログラムの流れを示すフローチャ−トであり、当該プログラムは、ＲＯＭ４２の所定の領域に予め記憶されている。
【００５８】
同図のステップ１００では、ユーザからのマイク１７を介した音声データの入力待ちを行いステップ１０２では、マイク１７より入力されたアナログの音声信号を音声データ変換部６４でデジタル音声データに変換し、これを音声認識プログラムによりデジタル音声データを文字データに変換する。
【００５９】
次のステップ１０４では、以上の処理によって得られた文字データにより示される文字列がユーザ情報データのＩＤ番号として登録されているか否かを判定し、肯定判定の場合はステップ１０６へ移行し、否定判定の場合はステップ１１４ヘ移行する。すなわち、本ステップ１０４の処理により肯定判定となった場合はユーザ情報データから上記文字データにより示されるＩＤ番号のユーザ（画像形成装置１０を使用しているユーザ）が特定される。
【００６０】
ステップ１０６では、カメラ１６により撮影を行ってユーザの顔が含まれる画像の画像データを取得し、当該画像データから顔領域を認識して顔パターンデータを生成する。
【００６１】
ここで、本実施の形態に係る画像形成装置１０では、ディスプレイ１４に指紋読取部１８へ指先をタッチさせることを促すメッセージを表示している。
【００６２】
そこで、次のステップ１０８では、ユーザの指先が指紋読取部１８にタッチされることによる指紋パターンデータの取得待ちを行い、次のステップ１１０では、以上の処理によって得られた顔パターンデータにより示される顔パターン及び指紋パターンデータにより示される指紋パターンと、ユーザ情報テーブル７０のステップ１０４において特定したユーザの顔パターンデータにより示される顔パターン及び指紋パターンデータにより示される指紋パターンと、をパターンマッチングを行う。次のステップ１１２では、パターンマッチングの結果、ユーザ情報テーブル７０に登録されているユーザと同一人物であるか否かを判定し、肯定判定の場合はステップ１１６へ移行し、否定判定の場合はステップ１１４へ移行する。すなわち、ユーザ情報テーブル７０を用いたパターンマッチングが一致した否かにより、ユーザが画像形成装置１０を操作してよい正当なユーザであるか否かを認証している。
【００６３】
ステップ１１４では、ディスプレイ１４にユーザの認証ができない旨のエラーメッセージを表示し、その後に上記ステップ１１０へ戻る。
【００６４】
一方、ステップ１１６では、ユーザ情報テーブル７０から認証したユーザの操作許可設定、画面表示設定を読み出し、これらによって設定されている内容に基づいてディスプレイ１４に表示する操作画面の状態を設定し、その後に本認証／画面設定処理プログラムを終了する。
【００６５】
このように、本実施の形態に係る認証／画面設定処理によれば、顔パターンと指紋パターンを用いてユーザの認証を行っているため、セキュリティを向上させることができる。また、ユーザ毎に操作可能な機能を制限することができ、ユーザに応じた適切な機能を提供することができる。
【００６６】
次に、図６を参照して、特定情報付加機能を実行する際の画像形成装置１０の作用を説明する。なお、図６は、所定のタイミング（ここでは、ユーザが原稿画像を所定の読込位置に載置し、複写の操作指示を行うタイミング）でＣＰＵ４０によって実行される特定情報付加／プリント処理プログラムの処理の流れを示すフローチャ−トであり、当該プログラムも、ＲＯＭ４２の所定の領域に予め記憶されている。
【００６７】
同図のステップ１５０では、ユーザによって声による操作指示がマイク１７から行われか、あるいは、ディスプレイ１４に表示されている操作画面に対してタッチ操作による操作指示が行われたか否かを判定し、肯定判定の場合はステップ１５２へ移行し、否定判定の場合はステップ１５０へ戻る。
【００６８】
ステップ１５２では、操作指示がマイク１７からなされたものか否か判定し、肯定判定の場合はステップ１５４へ移行し、否定判定の場合はステップ１５６へ移行する。
【００６９】
ステップ１５４では、マイク１７より出力されたアナログ音声信号を音声データ変換部６４でデジタル音声データに変換し、音声認識プログラムにより当該デジタル音声データを文字データに変換する。そして、変換した文字データから指示情報テーブル７２に登録されている文字列を検索することにより音声データによる操作指示の内容を把握する。すなわち、例えば、ユーザが声でマイク１７に向かって「３枚、カラーコピー」と発声した場合、操作指示としてスキャナ１１から原稿画像を読み込み、読み込んだ画像を記録用紙へ３枚フルカラーでプリントすることを指示されたものと判断する。
【００７０】
次のステップ１５６では、ディスプレイ１４に表示されている操作画面に対してタッチ操作がなされて、操作入力検出部４６を介して取得した操作指示、又は、マイク１７から声により入力された操作指示が、上述した認証／画面設定処理により認証したユーザに対応するユーザ情報テーブル７０の操作許可設定で許可されているか否かを判定し、肯定判定の場合はステップ１６０へ移行し、否定判定の場合はステップ１５８へ移行する。この処理は、マイク１７からの声により許可されていない操作指示が入力される場合があることに対応するものである。
【００７１】
ステップ１５８では、許可されていない操作指示であることを示すエラーメッセージをディスプレイ１４に表示し、その後にステップ１５０に戻る。
【００７２】
一方、ステップ１６０では、スキャナ１１を動作させて原稿画像の読み込みを行い、原稿画像の画像データを取得する。
【００７３】
次のステップ１６２では、取得した画像データに対して上述した認証／画面設定処理プログラムにより認証したユーザのＩＤ番号及び氏名を付加すると共に、ユーザによるプリント操作の指示内容を示す操作指示データを付加する。この操作指示データは、例えば、ユーザがマイク１７に「３枚、カラーコピー」と発声した場合、画像データにより示される画像を３枚の記録用紙へプリントさせるための制御情報となる。なお、本実施の形態に係る特定情報付加／プリント処理では、画像データを記録用紙にプリントする場合について説明しているが、画像データを、例えば、ＰＤＦなどの画像データ及び文字データにより構成された電子化ファイルに変換してネットワーク２０へ出力する場合、電子化ファイルに対してＩＤ番号及び氏名と操作指示データを付加すればよい。この電子化ファイルにＩＤ番号及び氏名を付加することにより、当該電子化ファイルがどのユーザにより生成されたかを特定することができる
次のステップ１６４では、画像データに付加されたＩＤ番号及び氏名を読み出して、当該画像データにより示される画像の所定領域に視認可能な大きさでＩＤ番号及び氏名を示す画像が合成された状態となる合成画像データを生成する。なお、上記所定領域は画像データにより示される画像の４隅の何れかの領域で、画像データにより示される画像の絵柄や文字と重ならない領域をとすることが好ましい。
【００７４】
次のステップ１６６では、ステップ１６４で生成された合成画像データに基づいて、画像データに付加された操作指示データにより示される指示内容に応じて画像形成エンジン部１５を制御して記録用紙に画像をプリントし、その後に本特定情報付加／プリント処理プログラムを終了する。
【００７５】
このように、本実施の形態に係る特定情報付加／プリント処理プログラムによれば、記録用紙に画像データに基づく画像と共にＩＤ番号及び氏名がプリントされるため、プリントされた記録用紙からどのユーザよりプリント指示がされたかを特定することができる。すなわちユーザは、プリントした記録用紙にユーザ自身のＩＤ番号、氏名がプリントされているため、不用意に配布しないように注意を促すことができ、セキュリティが向上する。また、画像データにプリントを行うための操作指示データが付加されているため、画像データのみからプリントを行うための制御情報を取得でき、他から制御情報を受ける必要がなくなるため、プリントを行うための制御が容易となる。よって、例えば、画像データを他の画像形成装置１０へ転送してを他の画像形成装置１０でプリントする場合でも、画像データに付加された操作指示データに基づいてプリントを行うことができる。
【００７６】
以上のように本実施の形態に係る画像形成装置１０では、指示入力手段（ここでは、マイク１７及びディスプレイ１４）は、画像データ及び文字データの少なくとも一方を含んで構成された文書データによる、記録用紙へのプリント動作を含む出力動作の指示を入力し、取得手段（ここでは、マイク１７）は、特定情報生成手段（ここでは、ユーザ特定部８２）は、前記出力動作の指示を入力するユーザを識別するための識別情報を取得し、前記取得手段により取得された前記識別情報に基づいて前記ユーザを特定するユーザ特定情報を生成し、付加手段（ここでは、情報付加部８８）は、前記特定情報生成手段により生成された前記ユーザ特定情報を前記文書データに付加しているので、ユーザに対してユーザ自身の出力指示により出力された文書データへの注意を促すことができ、この結果として文書の不用意な外部への流出を防止することができる。
【００７７】
また、合成画像生成手段（ここでは、画像合成部９０）は、前記文書データにより示される文書画像と当該文書データに付加された前記ユーザ特定情報により示される画像とを合成した合成画像を生成し、プリント手段（ここでは、画像形成エンジン部５４）は、前記指示入力によって前記プリント動作の指示が入力されたときに、前記合成画像生成手段により生成された前記合成画像を記録用紙へプリントしているので、記録用紙にユーザ特定情報がプリントされる。このため、プリントされたユーザ特定情報に基づいて出力動作を指示したユーザを特定することができる。よって、ユーザに対してユーザ自身の出力指示によりプリントされた記録用紙への注意を促すこととなり、セキュリティを高めることができる
また、前記付加手段は、前記指示入力手段により前記出力動作の指示として、当該出力の条件を示す条件情報も入力された場合に、当該条件情報を前記文書データにさらに付加し、前記プリント手段は、前記文書データに付加された前記出力指示情報により示される指示内容に応じてプリントを行っているので、他から制御情報を受けることなく文書データに付加された出力指示情報のみに基づいて出力制御を行うことができ、制御が容易となる。
【００７８】
また、前記取得手段を、前記ユーザの声により入力されたＩＤ情報（ＩＤ番号）を示す音声データを取得するものとし、変換手段（ここでは、音声認識部８０）は、前記取得手段により取得された前記音声データに対する音声認識を行って、前記ＩＤ情報を文字データに変換し、記憶手段（ここでは、ＨＤＤ５６）は、予め定められたユーザの名前及びＩＤ情報を含むユーザ情報データが予め記憶しており、前記特定情報生成手段は、前記変換手段により文字データに変換されたＩＤ情報と前記ユーザ情報データに含まれるＩＤ情報とを照合して前記出力動作の指示を入力するユーザを特定し、特定したユーザの名前及びＩＤ情報の少なくとも一方を含むものとして前記ユーザ特定情報を生成しているので、ＩＤ番号の入力を声により行うことができ、入力操作が容易となる。
【００７９】
前記取得手段（ここでは、カメラ１６及び指紋読取部１８）を前記ユーザの顔の特徴を示す顔特徴データ（顔パターンデータ）及び前記ユーザの指紋の特徴を示す指紋特徴データ（指紋パターンデータ）を更に取得するものとし、前記ユーザ情報データは、前記予め定められたユーザの顔特徴データと指紋特徴データとをさらに含み、前記特定情報生成手段は、前記取得手段により取得された顔特徴データ及び指紋特徴データと、前記ユーザ情報データに含まれる、前記変換手段により文字データに変換されたＩＤ情報に対応する顔特徴データ及び指紋特徴データと、を照合して前記ユーザの特定を行っているので、セキュリティがより向上する
また、前記ユーザ情報データは、前記予め定められたユーザ毎に前記記録用紙へのプリントをカラーで行うか、当該プリントを白黒で行うか、当該プリントを不許可とするかを示すプリント動作情報をさらに含み、表示手段（ここで、ディスプレイ１４）は、プリントの操作指示を入力するための操作画面を表示し、表示設定手段（ここでは、操作画面制御部８４）は、前記特定情報生成手段により特定された前記ユーザに対応する前記プリント動作情報に基づいて前記表示手段に表示する前記操作画面の表示内容を設定しているので、ユーザ毎にディスプレイ１４に表示する操作画面の操作可能な機能を設定して、ユーザ毎に操作可能な機能を変更することができる。
【００８０】
さらに、前記ユーザ情報データは、前記予め定められてたユーザ毎に表示される文字を拡大するか否かを示す文字表示情報をさらに含み、表示手段は、所定の操作画面を表示し、表示設定手段は、前記特定情報生成手段により特定された前記ユーザに対応する前記文字表示情報に基づいて前記表示手段に表示する前記操作画面の文字の大きさを設定しているので、操作画面の文字の大きさをユーザに応じたものに変更することができ、操作画面の見易さが向上する。
【００８１】
なお、本実施の形態では、カメラ１６によりユーザの顔を撮影して顔パターンを生成すると共に指紋読取部１８によりユーザの指紋パターンを取得してユーザ認証を行う構成を示したが、例えば、カメラ１６、指紋読取部１８、カメラ制御部６２、指紋読取制御部６６、顔パターン生成部８１の少なくとも１つを除いた構成としてもよい。カメラ１６、カメラ制御部６２、顔パターン生成部８１の何れかを除いた場合は、指紋パターンでのみユーザ認証を行う構成とすればよい。指紋読取部１８、指紋読取制御部６６の何れかを除いた場合は、顔パターンでのみユーザ認証を行う構成とすればよい。また、カメラ１６、指紋読取部１８、カメラ制御部６２、指紋読取制御部６６、顔パターン生成部８１を除いた場合は、マイク１７から声で入力されたＩＤ番号に対応するＩＤ番号がユーザ情報テーブル７０に存在するか否かでユーザ認証を行えばよい。
【００８２】
また、本実施の形態では、ユーザがＩＤ番号として数字を入力する場合について説明したが、本発明はこれに限定されるものではなく、例えば、数字や文字を組み合わせてＩＤ情報として構成してもよい。
【００８３】
また、本実施の形態では、ユーザがＩＤ番号をマイク１７から声により入力する場合について説明したが、本発明はこれに限定されるものではなく、例えば、ディスプレイ１４にテンキーを表示してディスプレイ１４にタッチ操作することによりＩＤ番号を入力したり、装置本体１２にテンキーボタンを備えた操作パネルを設けて、当該た操作パネルを用いてＩＤ番号を入力する形態とすることもできる。この場合も本実施の形態と同様にディスプレイ１４へのタッチ操作、あるいは、操作パネルのテンキーへのボタン操作により入力されたＩＤ番号とユーザ情報テーブル７０のＩＤ番号に登録されているか否かを判定すればよい。
【００８４】
また、本実施の形態では、ユーザ特定情報をユーザのＩＤ番号、名前とした場合について説明したが、本発明はこれに限定されるものではなく、例えば、電話番号やメールアドレス等、その情報に基づいてユーザを特定できる情報であればよい。この場合も、本実施の形態と同様の効果を奏することができる。
【００８５】
また、本実施の形態では、スキャナ１１により読み込んだ画像データを記録用紙へプリントする場合について説明したが、本発明はこれに限定されるものではなく、例えば、予め、端末装置２２からファイル転送された文書データをＨＤＤ５６に記憶しておき、当該画像データをユーザからの操作指示に応じて記録用紙にプリントし、あるいは、他の端末装置へファイル転送や電子メールに添付して送信する場合に、操作指示を行ったユーザを特定できるユーザ特定情報を文書データに付加してもよい。この場合も、本実施の形態と同様の効果を奏することができる。
【００８６】
また、本実施の形態では、操作許可設定として、ユーザ毎にプリントについて「不許可」、「カラー」、「白黒」と操作制限を行う設定について説明したが、本発明はこれに限定されるものではなく、例えば、ユーザ情報テーブル７０にユーザ毎に、ファクシミリの送信の許可／不許可、原稿画像をスキャナ１１で読み取って作成した文書データの電子化ファイルのファイル転送の許可／不許可、文書データの電子化ファイルの電子メールに添付しての送信の送信の許可／不許可、スキャナ１１による原稿画像の読み取りの許可／不許可、画像形成装置１０の電源オン、オフ操作の許可／不許可、を追加してそれぞれの許可されている設定のみを行えるようにしてもよい。これにより、ユーザ毎に画像形成装置１０の使用できる機能を制限できるため、セキュリティが向上する。この場合、操作画面制御部８４においてディスプレイ１４に表示される操作画面をユーザ毎に使用可能か機能のみの構成とすることが好ましい。
【００８７】
また、ユーザ情報テーブル７０にユーザ毎に、１回のプリントで指定可能な最大枚数、白黒やカラープリントを行った際に課金を行うか否か（例えば、カラープリントを行った場合、１枚３０円を課金し、ユーザ毎に課金データとして蓄積する。）を追加してもよい。これにより、ユーザ毎に１回のプリントで指定可能な記録媒体の枚数を制限したり、使用量応じて課金を行うことができる。
【００８８】
また、本実施の形態では、画面表示設定として、ユーザ毎にディスプレイ１４に表示される操作画面の文字の大きさの設定を行う場合について説明したが、本発明はこれに限定されるものではなく、例えば、ユーザ情報テーブル７０にユーザ毎に、子供であるか、外国人であるか、老眼であるかの設定を各々追加し、操作画面制御部８４において、子供と設定されている場合はディスプレイ１４に表示される操作画面の文字をひらがなに変更し、外国人と設定されている場合はディスプレイ１４に表示される操作画面に表示されるメッセージを外国語（例えば、英語）に変更し、老眼と設定されている場合はディスプレイ１４に表示される文字のフォントを大きくするようにしてもよい。また、ユーザ情報テーブル７０にユーザ毎に、性別や、年齢の設定を追加し、操作画面制御部８４において、性別に設定されている内容に応じてディスプレイ１４に表示される操作画面の色を変えたり（例えば、女性であれば、操作画面の背景をピンク色）、年齢が一定以上（例えば、６０歳以上）の場合にディスプレイ１４に表示される操作画面の文字のフォントを大きくするようにしてもよい。これにより、ディスプレイ１４にユーザに適した操作画面を表示することができるため、操作性が向上する。
【００８９】
また、本実施の形態では、ユーザ情報テーブル７０にユーザ毎に操作許可設定、画面表示設定等の各種の設定を設けた場合について説明したが、本発明はこれに限定されるものではなく、例えば、複数のグループを予め設け、ユーザを何れかのグループに登録し、グループ毎に各種の設定を行うようにしてもよい。これにより、各ユーザ毎に個別に設定を行う必要がなくなるため、設定操作が容易となる。
【００９０】
さらに、本実施の形態では、スキャナ１１により読み取った画像を文章データに変換する場合について説明したが、本発明はこれに限定されるものではなく、例えば、ユーザ情報テーブル７０にユーザ毎に老眼であるかの設定を追加し、老眼と設定された場合に文書データに含まれる文字データのフォントを大きくして文字サイズを大きくするように変更してもよい。
【００９１】
その他、本実施の形態で説明した画像形成装置１０の構成（図１、図２、図４参照。）は、一例であり、本発明の主旨を逸脱しない範囲内において適宜変更可能であることは言うまでもない。
【００９２】
また、本実施の形態で説明した認証／画面設定処理、特定情報付加／プリント処理の処理の流れ（図５、図６参照。）も一例であり、本発明の主旨を逸脱しない範囲内において適宜変更可能であることは言うまでもない。
【００９３】
さらに、本実施の形態で説明したユーザ情報テーブル（図４参照。）も一例であり、本発明の主旨を逸脱しない範囲内において適宜変更可能であることは言うまでもない。
【図面の簡単な説明】
【００９４】
【図１】実施の形態に係る画像形成装置の構成図である。
【図２】実施の形態に係る画像形成装置の電気系の要部構成を示すブロック図である。
【図３】実施の形態に係るユーザ情報テーブルとして設定される情報を示す模式図である。
【図４】実施の形態に係る画像形成装置の機能的な構成を示すブロック図である。
【図５】実施の形態に係る認証／画面設定処理の処理の流れを示すフローである。
【図６】実施の形態に係る特定情報付加／プリント処理の処理の流れを示すフローである。
【符号の説明】
【００９５】
１０  画像形成装置
１４  ディスプレイ
１５  画像形成エンジン部
１７  マイク
１８  指紋読取部
４０  ＣＰＵ
４６  操作入力検出部
５０  画像形成エンジン部
５６  ＨＤＤ
８０  音声認識部
８１  顔パターン生成部
８２  ユーザ特定部
８４  操作画面制御部
８８  情報付加部
９０  画像合成部
【図１】
2006181874.tif 000003
【図２】
2006181874.tif 000004
【図３】
2006181874.tif 000005
【図４】
2006181874.tif 000006
【図５】
2006181874.tif 000007
【図６】
2006181874.tif 000008